(57)【要約】      （修正有）【課題】都市雑音が多い状態でも希望波を適正に受信できる無線通信装置及び無線通信システムを提供する。【解決手段】無線通信装置は、受信電界強度を受信電界強度測定部３４で測定し、受信電界強度の値によって受信状態と待機状態を低消費電力モード設定部３５が受信部３２に対して切り替える動作を行い、希望波を受信している場合の受信電界強度の測定後に都市雑音の受信電界強度を測定し、希望波を受信している場合の受信電界強度の値と都市雑音の受信電界強度の値との間に、受信状態に切り替える閾値を設定するよう閾値を更新する。【選択図】図１
2020036160.tif 000002
【特許請求の範囲】
【請求項１】
受信電界強度を測定し、当該受信電界強度の値によって受信状態と待機状態を切り替える動作を行う無線通信装置であって、
前記受信状態に切り替える閾値を記憶し、希望波を受信している場合の受信電界強度と都市雑音の受信電界強度を測定し、前記希望波を受信している場合の受信電界強度の値と前記都市雑音の受信電界強度の値との間となるよう前記閾値を更新することを特徴とする無線通信装置。
【請求項２】
都市雑音の受信電界強度の値を特定期間測定して記憶し、当該特定期間における都市雑音の受信電界強度の値の平均値と希望波を受信している場合の受信電界強度の値との間となるよう閾値を更新することを特徴とする請求項１記載の無線通信装置。
【請求項３】
受信電界強度を測定し、当該受信電界強度の値によって受信状態と待機状態を切り替える動作を行う無線通信装置であって、
受信状態で通報が終了すると、希望波の周波数の前後の周波数帯域における各々の都市雑音の受信電界強度を測定し、測定した受信電界強度の値を平均化して周囲の都市雑音の受信電界強度の値とし、前記希望波を受信している場合の受信電界強度の値と前記周囲の都市雑音の受信電界強度の値との差に基づいて鳴音又は表示の通知を行うことを特徴とする無線通信装置。
【請求項４】
請求項１又は２記載の無線通信装置と、当該無線通信装置に通報信号を送信する基地局とを有することを特徴とする無線通信システム。
【請求項５】
請求項３記載の無線通信装置と、当該無線通信装置に通報信号を送信する基地局とを有することを特徴とする無線通信システム。
【発明の詳細な説明】
【技術分野】
【０００１】
本発明は、受信電界強度を測定する無線通信装置に係り、特に、都市雑音のレベルに応じて通報開始を確実に行い、また、最適な設置場所を判定する無線通信装置及び無線通信システムに関する。
【背景技術】
【０００２】
［従来の技術］
従来の無線通信装置には、受信電界強度を測定し、特定の閾値を超えると受信部のモードを低消費電力モード（待機モード）から受信モードにして通報を開始するものがあった。
【０００３】
［無線通信システム：図５］
一般的な無線通信システムについて図５を参照しながら説明する。図５は、無線通信システムの概略図である。
無線通信システムは、図５に示すように、基地局２と、基地局２に有線で接続する操作卓１と、基地局２と無線通信を行う複数の子局３ａ，３ｂ（以下、子局３として説明する）とを備えている。
【０００４】
子局３は、図５において２台描いているが、基地局２の電波が届くサービスエリア内に複数台設置されるものである。
基地局２と子局３との通信は、周波数ａを用いてなされるものである。
ここで、子局３は、近くに設置された電子機器４から放射ノイズ（都市雑音）ｂの影響を受ける環境にある場合を示している。
【０００５】
図５の無線通信システムにおける動作を説明する。
基地局２は、通報時のみ送信を行うもので、操作卓１から入力された通報信号を子局３に向けて無線送信する。
子局３は、内部で受信電界強度を測定し、予め定められた閾値を超えた場合に受信動作を開始し、当該閾値を超えない場合は、待機状態となって消費電力を抑えることができ、バッテリの動作時間を長くできるものとなっている。
つまり、子局３は、基地局２から通報信号が送信されると、受信電界強度が閾値を超えることになり、受信動作を開始して通報信号を受信して通報動作を行う。
【０００６】
［無線通信装置：図６］
次に、図５における子局３の無線通信装置の構成について図６を参照しながら説明する。図６は、従来の無線通信装置の構成ブロック図である。
無線通信装置は、図６に示すように、アンテナ３１と、受信部３２´と、制御部３３´と、受信電界強度測定部３４と、低消費電力モード設定部３５´とを備えている。
【０００７】
無線通信装置での動作は、アンテナ３１で基地局２からの周波数ａを受信し、受信電界強度測定部３４で受信電界強度を測定し、測定した受信電界強度の値を低消費電力モード設定部３５´に出力する。
低消費電力モード設定部３５´は、入力された受信電界強度の値が予め設定されている閾値を超えたかどうかを判定し、超えた場合には、受信部３２´に受信モード信号を出力する。
受信モード信号が入力された受信部３２´は、受信動作（受信モード）を開始して、アンテナ３１から入力される信号の周波数変換、復調処理を行い、受信した通報信号を制御部３３´に出力する。
【０００８】
制御部３３´は、接続するスピーカに通報信号を出力して操作卓１からの通報信号を音声出力する。
そして、通報が終了すると、制御部３３´は、通報終了信号を低消費電力モード設定部３５´に出力する。
通報終了信号の入力を受けた低消費電力モード設定部３５´は、受信部３２´に待機モード信号を出力し、受信部３２´を待機状態（待機モード）にする。
【０００９】
［関連技術］
尚、関連する先行技術として、特開２００６−１９７３６４号公報「無線通信システムの受信機」（特許文献１）がある。
特許文献１には、無線通信システムの受信機において、受信電界強度測定部が受信アンテナで受信した信号の受信電界強度を測定し、低消費電力モード設定部が受信開始の閾値と測定した受信電界強度とを比較し、受信電界強度が閾値以上であれば受信動作を行うことが示されている。
【先行技術文献】
【特許文献】
【００１０】
【特許文献１】特開２００６−１９７３６４号公報
【発明の概要】
【発明が解決しようとする課題】
【００１１】
しかしながら、従来の無線通信システムにおける無線通信装置（受信機）では、都市雑音が高い環境に設置された場合に、都市雑音が受信電界強度の閾値を超えてしまうと、受信部が受信モードのままとなり、待機モードにならず、消費電力を抑えることができないという問題点があった。
【００１２】
具体的には、図５の子局３の無線通信装置が都市雑音の高い環境に設置されると、都市雑音が受信動作開始となる受信電界強度の閾値より高くなることがあり、そうなると受信動作（受信モード）のままになる。よって、無線通信装置（子局）は、受信動作を繰り返して、消費電力を抑えた待機状態に切り替えることができない。
【００１３】
例えば、子局に設定された受信開始の受信電界強度の閾値が−１１０ｄＢｍとして、基地局２から受信した通報信号の受信電界強度が−８０ｄＢｍであり、都市雑音の受信電界強度が−１００ｄＢｍの場合、受信開始の受信電界強度より都市雑音の受信電界強度が高いため、負荷の高い信号処理を含む受信動作が継続されることになり、低消費電力とはならないものである。
【００１４】
尚、子局を設置する場所において、受信開始の受信電界強度の閾値を設置場所の環境に応じて作業員が個別に設定する方法もあるが、設定動作が煩雑となり、実現が難しいものとなっている。
【００１５】
また、無線通信システムのエリア内では、都市雑音が高い環境も想定される。基地局からの通報信号の希望波と都市雑音とのレベル差が十分に開いていない場合には正常に受信できないため、都市雑音が高い環境を避け、安定して受信できる環境に子局を設置する必要がある。
【００１６】
一般的に、子局を設置する工事期間中は、基地局からの試験放送を常時通報し、希望波の受信電界強度やビット誤り率（ＢＥＲ：Bit Error Rate）を用いて子局の設置場所を決めることが多い。
但し、基地局からの希望波の受信電界強度が十分に高い設置場所でも、都市雑音が高い環境ではＢＥＲが安定しない。
【００１７】
本来、基地局が通報していない状態で都市雑音を測定して希望波の受信電界強度とのレベル差を求める必要があるが、子局を設置する作業の効率上、基地局からの通報をその都度止めるのは難しい。
【００１８】
本発明は上記実情に鑑みて為されたもので、都市雑音が多い状態でも希望波を適正に受信できる無線通信装置及び無線通信システムを提供することを目的とする。
【００１９】
また、本発明は、都市雑音の多い環境でも子局の無線通信装置を容易にかつ適正に設置できる無線通信装置及び無線通信システムを提供することを目的とする。
【課題を解決するための手段】
【００２０】
上記従来例の問題点を解決するための本発明は、受信電界強度を測定し、当該受信電界強度の値によって受信状態と待機状態を切り替える動作を行う無線通信装置であって、受信状態に切り替える閾値を記憶し、希望波を受信している場合の受信電界強度と都市雑音の受信電界強度を測定し、希望波を受信している場合の受信電界強度の値と都市雑音の受信電界強度の値との間となるよう閾値を更新することを特徴とする。
【００２１】
本発明は、上記無線通信装置において、都市雑音の受信電界強度の値を特定期間測定して記憶し、当該特定期間における都市雑音の受信電界強度の値の平均値と希望波を受信している場合の受信電界強度の値との間となるよう閾値を更新することを特徴とする。
【００２２】
本発明は、受信電界強度を測定し、当該受信電界強度の値によって受信状態と待機状態を切り替える動作を行う無線通信装置であって、受信状態で通報が終了すると、希望波の周波数の前後の周波数帯域における各々の都市雑音の受信電界強度を測定し、測定した受信電界強度の値を平均化して周囲の都市雑音の受信電界強度の値とし、希望波を受信している場合の受信電界強度の値と周囲の都市雑音の受信電界強度の値との差に基づいて鳴音又は表示の通知を行うことを特徴とする。
【００２３】
本発明は、無線通信システムにおいて、上記無線通信装置と、当該無線通信装置に通報信号を送信する基地局とを有することを特徴とする無線通信システム。
【発明の効果】
【００２４】
本発明によれば、受信電界強度を測定し、当該受信電界強度の値によって受信状態と待機状態を切り替える動作を行うものであり、受信状態に切り替える閾値を記憶し、希望波を受信している場合の受信電界強度と都市雑音の受信電界強度を測定し、希望波を受信している場合の受信電界強度の値と都市雑音の受信電界強度の値との間となるよう閾値を更新する無線通信装置としているので、都市雑音が多い状態でも希望波を適正に受信できる効果がある。
【００２５】
本発明によれば、受信電界強度を測定し、当該受信電界強度の値によって受信状態と待機状態を切り替える動作を行うものであり、受信状態で通報が終了すると、希望波の周波数の前後の周波数帯域における各々の都市雑音の受信電界強度を測定し、測定した受信電界強度の値を平均化して周囲の都市雑音の受信電界強度の値とし、希望波を受信している場合の受信電界強度の値と周囲の都市雑音の受信電界強度の値との差に基づいて鳴音又は表示の通知を行う無線通信装置としているので、都市雑音の多い環境でも本装置を容易にかつ適正に設置できる効果がある。
【図面の簡単な説明】
【００２６】
【図１】本無線通信装置の構成ブロック図である。
【図２】低消費電力モード設定部の構成ブロック図である。
【図３】受信開始の受信電界強度の閾値更新処理フロー図である。
【図４】本装置設置の処理フロー図である。
【図５】無線通信システムの概略図である。
【図６】従来の無線通信装置の構成ブロック図である。
【発明を実施するための形態】
【００２７】
本発明の実施の形態について図面を参照しながら説明する。
［実施の形態の概要］
本発明の実施の形態に係る無線通信装置（本装置）は、受信電界強度を測定し、当該受信電界強度の値によって受信状態と待機状態を切り替える動作を行うものであり、希望波を受信している場合の受信電界強度を測定し、通報後に都市雑音の受信電界強度を測定し、希望波を受信している場合の受信電界強度の値と都市雑音の受信電界強度の値との間に、受信状態に切り替える閾値を設定するよう閾値を更新するものとしているので、都市雑音が多い状態でも希望波を適正に受信できるものである。
【００２８】
また、本装置は、受信電界強度を測定し、当該受信電界強度の値によって受信状態と待機状態を切り替える動作を行うものであり、受信状態で通報が終了すると、希望波の周波数の前後の周波数帯域における各々の都市雑音の受信電界強度を測定し、測定した受信電界強度の値を平均化して周囲の都市雑音の受信電界強度の値とし、希望波を受信している場合の受信電界強度の値と周囲の都市雑音の受信電界強度の値との差に基づいて鳴音又は表示の通知を行うものとしているので、都市雑音の多い環境でも本装置を容易にかつ適正に設置できるものである。
【００２９】
また、無線通信システム（本システム）は、上記無線通信装置と、指令卓からの通報信号を当該無線通信装置に無線送信する基地局とを有するものであり、都市雑音の多い環境でも本装置を容易にかつ適正に設置でき、都市雑音が多い状態でも希望波を適正に受信できるものである。
【００３０】
［本装置：図１］
本装置（本無線通信装置）について図１を参照しながら説明する。図１は、本無線通信装置の構成ブロック図である。
本装置は、図１に示すように、アンテナ３１と、受信部３２と、制御部３３と、受信電界強度測定部３４と、低消費電力モード設定部３５と、表示部３６と、スピーカ３７とを基本的に有している。
図６との対比において、受信部３２、制御部３３、低消費電力モード設定部３５が従来の構成と相違している。
【００３１】
［本装置の各部］
本装置の各部について具体的に説明する。
アンテナ３１は、到来する無線信号を取り込むものである。アンテナ３１に入力する無線信号には、基地局からの通報信号があるが、周囲からの都市雑音も入力される。
受信部３２は、低消費電力モード設定部３５からの受信モード信号で受信状態（受信モード）となり、低消費電力モード設定部３５からの待機モード信号で待機状態（待機モード／低消費電力モード）となり、アンテナ３１から入力された信号を周波数変換し、復調処理して通報信号を制御部３３に出力する。
受信部３２は、通報動作時には受信状態となり、通報終了後に待機状態に戻ることで、省電力を実現している。
【００３２】
制御部３３は、接続するスピーカ３７に受信部３２から入力された通報信号を音声出力する。
また、制御部３３は、通報が終了すると、低消費電力モード設定部３５に通報終了信号を出力する。
また、制御部３３は、後述するように、本装置を設置する場合に、設置場所の適性を表示部３６又は／及びスピーカ３７に出力する。この動作は後述する。
【００３３】
受信電界強度測定部３４は、アンテナ３１から入力される信号の受信電界強度を測定し、測定値を低消費電力モード設定部３５に出力する。
測定される受信電界強度は、希望波の通報信号と都市雑音である。尚、以下に説明する「希望波の受信電界強度」は、希望波と都市雑音が合成された信号の受信電界強度である。
【００３４】
低消費電力モード設定部３５は、受信開始の受信電界強度の閾値を測定値が超えた場合には、受信部３２に受信モード信号を出力し、また、制御部３３から通報終了信号を入力すると、受信部３２に待機モード信号を出力する。
【００３５】
また、低消費電力モード設定部３５は、希望波の受信電界強度の測定値と都市雑音の受信電界強度の測定値を記憶しておき、両測定値の間に受信開始の受信電界強度の閾値が入るように調整して閾値を更新するようになっている。
低消費電力モード設定部３５の構成及び閾値の更新処理については後述する。
【００３６】
表示部３６は、後述する本装置を設置する作業時に都市雑音の環境下で適正な場所であるのか否かを表示するものである。
また、表示部３６は、通報中を示す表示を行うようにしてもよい。
スピーカ３７は、通報の音声信号を出力する。
また、スピーカ３７は、後述する本装置を設置する作業時に都市雑音の環境下で適正な場所であるのか否かを音で通知するものである。
【００３７】
［低消費電力モード設定部：図２］
次に、低消費電力モード設定部３５について図２を参照しながら具体的に説明する。図２は、低消費電力モード設定部の構成ブロック図である。
低消費電力モード設定部３５は、図２に示すように、受信電界強度記憶・比較部３５１と、受信開始の受信電界強度閾値記憶部３５２と、希望波の受信電界強度記憶部３５３と、都市雑音の受信電界強度記憶部３５４とを有している。
【００３８】
受信電界強度記憶・比較部３５１は、受信電界強度測定部３４で測定した値（測定値）を入力し、受信開始の受信電界強度閾値記憶部３５２に予め記憶されている閾値（受信開始の受信電界強度閾値）と比較し、測定値が閾値を超えている場合（又は測定値が閾値以上の場合）には、受信部３２に受信モード信号を出力し、制御部３３から通報終了信号を入力すると、受信部３２に待機モード信号を出力し、続いて都市雑音の受信電界強度の値を受信電界強度測定部３４から入力し、都市雑音の受信電界強度の値を記憶する。
【００３９】
また、受信電界強度記憶・比較部３５１は、測定値が希望波を含む場合（実際は希望波と都市雑音が合成されている場合）に希望波の受信電界強度記憶部３５３に記憶させ、測定値が都市雑音の場合に都市雑音の受信電界強度記憶部３５４に記憶させる。尚、希望波の受信電界強度（実際は、希望波と都市雑音が合成された受信電界強度）の値を、固定値にして更新させないようにしてもよい。
【００４０】
更に、受信電界強度記憶・比較部３５１は、本装置を設置する場合に、希望波の受信電界強度の値と都市雑音の受信電界強度の値との差が特定値以上ある場合に制御部３３に設置が適正である旨の通知信号を出力する。この設置処理については、後述する。
【００４１】
受信開始の受信電界強度閾値記憶部３５２は、受信開始の受信電界強度の閾値を記憶するもので、出荷時の初期値は外部から予め設定されるが、本装置では、その閾値が希望波の受信電界強度の値と都市雑音の受信電界強度の値との関係で更新されるようになっている。
【００４２】
希望波の受信電界強度記憶部３５３は、希望波の受信電界強度の値を記憶する。希望波の受信電界強度の値が変動する場合には、希望波の受信毎に更新してもよいし、特定期間希望波の受信電界強度の値を記憶して、その平均値で更新して記憶してもよい。
【００４３】
都市雑音の受信電界強度記憶部３５４は、都市雑音の受信電界強度の測定値を記憶する。本装置では、通報終了後に都市雑音の受信電界強度が測定され、その測定値が更新されて記憶される。また、特定期間に亘って測定された都市雑音の受信電界強度の値を複数蓄積しておき、その平均値で更新して記憶してもよい。
【００４４】
［閾値更新処理：図３］
次に、受信開始の受信電界強度の閾値の更新処理について図３を参照しながら説明する。図３は、受信開始の受信電界強度の閾値更新処理フロー図である。
図３に示すように、受信電界強度測定部３４で受信電界強度が測定され、低消費電力モード設定部３５で受信開始の受信電界強度閾値を超えたと判定されると、受信部３２に受信モード信号を出力し、受信部３２で受信動作が開始して通報が開始する（Ｓ１）。
そして、希望波の受信電界強度が受信電界強度測定部３４で測定され、低消費電力モード設定部３５に希望波の受信電界強度の測定値が出力されて記憶される（Ｓ２）。
【００４５】
そして、通報終了を受信部３２で受信して制御部３３に出力すると、制御部３３は低消費電力モード設定部３５に通報終了信号を出力する（Ｓ３）。
通報終了信号を入力した低消費電力モード設定部３５は、受信部３２に待機モード信号を出力し、受信部３２を待機状態にする。
続いて、都市雑音（ノイズ）の受信電界強度が受信電界強度測定部３４で測定され、低消費電力モード設定部３５に都市雑音の受信電界強度の測定値が出力されて記憶される（Ｓ４）。
【００４６】
そして、低消費電力モード設定部３５は、測定した希望波の受信電界強度の値と都市雑音の受信電界強度の値とを比較し（Ｓ５）、両者の間に受信開始の受信電界強度閾値が入るように調整して閾値を更新する（Ｓ６）。以降、更新された閾値を用いて受信開始が判定されることになる。
【００４７】
閾値の調整は、測定した希望波の受信電界強度の値と都市雑音の受信電界強度の値との中間値としてもよいし、中間値から例えば、２０％希望波の受信電界強度の値寄りのように設定してもよい。
【００４８】
尚、都市雑音の受信電界強度の値が閾値に影響しない場合には、閾値の更新を行わないようにしてもよい。また、都市雑の受信電界強度の値が閾値に影響する場合でも、それが突発的なものであれば、除外して更新しないようにしてもよい。
【００４９】
例えば、出荷時に子局の本装置の低消費電力モード設定部３５に設定された受信開始の受信電界強度閾値が−１１０ｄＢｍとして、設置された環境の希望波の受信電界強度の値が−８０ｄＢｍであり、通報終了後に測定された都市雑音の受信電界強度の値が−１００ｄＢｍの場合、一度通報を受けた後に、受信開始と判定する受信電界強度の閾値を希望波と都市雑音との間、例えば、中間値の−９０ｄＢｍに更新する。
【００５０】
本装置が設置された環境に合わせて受信開始と判定する閾値を、測定された希望波の受信電界強度の値と都市雑音の受信電界強度の値に基づいて更新することで、都市雑音が多い環境下でも通報なしと判定できるため、受信部３２が負荷の高い信号処理を行うことがなく、待機状態で消費電力を抑えることができるものである。
【００５１】
［本装置の設置処理：図４］
本装置の設置処理について図４を参照しながら説明する。図４は、本装置設置の処理フロー図である。
本装置を設置する工事期間は、基地局から試験放送が常時送信され、受信電界強度の値やＢＥＲの値を用いて設置場所を探すことになる。
本装置を据え付ける据付モードの動作を開始させると（Ｓ１１）、本装置の受信電界強度測定部３４で試験放送されている希望波の受信電界強度を測定し、その測定値を低消費電力モード設定部３５に記憶する（Ｓ１２）。
【００５２】
次に、希望波とは異なる帯域、例えば希望波の下（前／低周波側）の帯域にチャネル（ＣＨ）を切り替え（Ｓ１３）、受信電界強度測定部３４で都市雑音（ノイズ）の受信電界強度を測定し、その測定値を低消費電力モード設定部３５に記憶する（Ｓ１４）。
また、別の帯域、例えば希望波の上（後／高周波側）の帯域にＣＨを切り替え（Ｓ１５）、受信電界強度測定部３４でノイズの受信電界強度を測定し、その測定値を低消費電力モード設定部３５に記憶する（Ｓ１６）。
【００５３】
ＣＨ切替は、周波数チャネル設定を数十ｋＨｚ〜数百ｋＨｚ程度ずらして、希望波近傍周波数の都市雑音の受信電界強度の値を測定する。
ここでは、希望波の前後の周波数帯域についてノイズの受信電界強度を測定するのが望ましく、更に広い帯域について複数のＣＨを切り替えてノイズの受信電界強度を測定してもよい。
尚、希望波の帯域でノイズの受信電界強度を測定していないのは、希望波は常時放送されているため、ノイズの受信電界強度を測定できないためである。
【００５４】
そして、低消費電力モード設定部３５は、ノイズレベル（ノイズの受信電界強度の測定値）を平均化し（Ｓ１７）、その平均値と希望波の受信電界強度の測定値とを比較し（Ｓ１８）、両者の差（レベル差）を算出し、制御部３３にそのレベル差の数値を通知信号として出力する。
【００５５】
すると、制御部３３は、その通知信号に基づいて表示部３６又はスピーカ３７にレベル差の数値を表示又は音声で通知する。本装置を設置する作業員は、レベル差が十分にあることを示す通知によって最適な設置場所を探すことができる。
ここで、制御部３３は、レベル差の数値が特定値（閾値）以上であるか否かの判定を行い、特定値以上の場合に、表示部３６におけるＬＥＤ点滅、スピーカ３７からの鳴音等の単純な通知を行うようにしてもよい。
尚、通知は、反対にレベル差が十分にないことを示すものであってよい。この場合、その通知が為される設置場所は適正ではないことを示すものとなる。
【００５６】
そして、図３の閾値更新処理と図４の設置処理を１つの無線通信装置で行うようにしてもよい。
また、図４における据付モードは、本装置のスイッチ等で設定できるようにして、本装置の設置作業時に当該スイッチをオンとして図４の設置処理を実行してもよい。
【００５７】
［実施の形態の効果］
本装置及び本システムによれば、受信電界強度を受信電界強度測定部３４で測定し、当該受信電界強度の値によって受信状態と待機状態を低消費電力モード設定部３５が受信部３２に対して切り替える動作を行い、希望波を受信している場合の受信電界強度の測定後に都市雑音の受信電界強度を測定し、希望波を受信している場合の受信電界強度の値と都市雑音の受信電界強度の値との間に、受信状態に切り替える閾値を設定するよう閾値を更新するものであり、都市雑音が多い状態でも希望波を適正に受信できる効果がある。
【００５８】
また、本装置及び本システムによれば、受信電界強度を受信電界強度測定部３４で測定し、当該受信電界強度の値によって受信状態と待機状態を低消費電力モード設定部３５が受信部３２に対して切り替える動作を行い、受信状態で通報が終了すると、受信電界強度測定部３４が希望波の周波数の前後の周波数帯域における各々の都市雑音の受信電界強度を測定し、低消費電力モード設定部３５が測定した受信電界強度の値を平均化して周囲の都市雑音の受信電界強度の値とし、希望波を受信している場合の受信電界強度の値と周囲の都市雑音の受信電界強度の値との差に基づいて鳴音又は表示の通知を行うものとしているので、都市雑音の多い環境でも本装置を容易にかつ適正に設置できる効果がある。
【産業上の利用可能性】
【００５９】
本発明は、都市雑音が多い状態でも希望波を適正に受信できる無線通信装置及び無線通信システムに好適である。
【符号の説明】
【００６０】
１…操作卓、  ２…基地局、  ３…子局（無線通信装置）、  ４…電子機器、  ３１…アンテナ、  ３２，３２´…受信部、  ３３，３３´…制御部、  ３４…受信電界強度測定部、  ３５，３５´…低消費電力モード設定部、  ３６…表示部、  ３７…スピーカ、  ３５１…受信電界強度記憶・比較部、  ３５２…受信開始の受信電界強度閾値記憶部、  ３５３…希望波の受信電界強度記憶部、  ３５４…都市雑音の受信電界強度記憶部
【図１】
2020036160.tif 000003
【図２】
2020036160.tif 000004
【図３】
2020036160.tif 000005
【図４】
2020036160.tif 000006
【図５】
2020036160.tif 000007
【図６】
2020036160.tif 000008